(57)【要約】【課題】スマートＩＣが併設されたエリアにおいて経路から外れた場合でもスマートＩＣの位置を容易に把握可能とする機能を備えた「車載用ナビゲーション装置及び車両案内方法」を提供すること。【解決手段】車載用ナビゲーション装置は、表示手段と、地図情報が格納された地図データ記憶手段と、自車両の現在位置を検出する自車位置検出手段と、自車両の状態変化を検出する制御手段と、を有する。制御手段は、自車両の状態が変化したときの自車位置を検出し、自車位置がサービスエリア又はパーキングエリア内にあると判定したとき、自車位置を基点として併設されているスマートインターチェンジの位置を示すマークを表示する。制御手段は、スマートインターチェンジを通る誘導経路が存在するとき、自車位置を基点として誘導経路の位置を示すマークを表示手段の画面に表示するようにしてもよい。【選択図】図４
2010190822.tif 000002
【特許請求の範囲】
【請求項１】
表示手段と、
地図情報が格納された地図データ記憶手段と、
自車両の現在位置を検出する自車位置検出手段と、
前記自車両の状態変化を検出する制御手段と、
を有し、
前記制御手段は、前記自車両の状態が変化したときの自車位置を前記自車位置検出手段により検出し、前記地図情報を参照して当該自車位置がサービスエリア又はパーキングエリア内にあると判定したとき、当該自車位置を基点として前記サービスエリア又はパーキングエリアに併設されているスマートインターチェンジの位置を示すマークを前記表示手段の画面に表示することを特徴とする車載用ナビゲーション装置。
【請求項２】
前記制御手段は、前記スマートインターチェンジを通る誘導経路が存在するとき、前記自車位置を基点として前記誘導経路の位置を示すマークを表示することを特徴とする請求項１に記載の車載用ナビゲーション装置。
【請求項３】
前記制御手段は、前記スマートインターチェンジを通る誘導経路が存在しないとき、前記自車位置を基点として前記サービスエリア又はパーキングエリアから高速道路の本線へ向かう出口の位置を示すマークを表示することを特徴とする請求項２に記載の車載用ナビゲーション装置。
【請求項４】
前記制御手段は、前記マークを所定の時間表示した後、前記スマートインターチェンジ及び前記自車位置が識別可能に表示されるように表示縮尺を調整した前記サービスエリア又はパーキングエリアの地図データを生成し、前記表示手段の画面に表示することを特徴とする請求項３に記載の車載用ナビゲーション装置。
【請求項５】
さらに、音声出力手段を備え、
前記制御手段は、前記マークの表示とともに、当該マークに対応する位置情報を音声出力させることを特徴とする請求項１に記載の車載用ナビゲーション装置。
【請求項６】
前記制御手段は、前記自車両がエンジン停止状態からエンジン始動状態になったとき、前記自車両の位置が変化したとき、前記自車両の速度が検出されたとき、又はＡＣＣがオフからオンになったときに前記車両の状態が変化したと判定することを特徴とする請求項１に記載の車載用ナビゲーション装置。
【請求項７】
表示手段と、地図情報が格納された地図データ記憶手段と、自車両の現在位置を検出する自車位置検出手段とを備えた車載用ナビゲーション装置における車両案内方法であって、
自車両の状態の変化を検出するステップと、
前記自車両の状態が変化したときの自車両の自車位置を前記自車位置検出手段により検出するステップと、
前記地図情報を参照して前記自車位置がサービスエリア又はパーキングエリア内にあると判定したとき、当該自車位置を基点として前記サービスエリア又はパーキングエリアに併設されているスマートインターチェンジの位置を示すマークを前記表示手段の画面に表示するステップと、
を有することを特徴とする車両案内方法。
【請求項８】
前記マークを表示するステップの後に、
前記スマートインターチェンジ及び前記自車位置が識別可能に表示されるように表示縮尺を調整した前記サービスエリア又はパーキングエリアの地図データを生成するステップと、
当該地図データを前記表示手段の画面に表示するステップと、
を有することを特徴とする請求項７に記載の車両案内方法。
【請求項９】
さらに、前記スマートインターチェンジを通る誘導経路が存在するか否かを判定するステップと、
前記スマートインターチェンジを通る誘導経路が存在すると判定したとき、前記自車位置を基点として前記誘導経路の位置を示すマークを表示するステップと、
前記スマートインターチェンジを通る誘導経路が存在しないと判定したとき、前記自車位置を基点として前記サービスエリア又はパーキングエリアから高速道路の本線へ向かう出口の位置を示すマークを表示するステップと、
を有することを特徴とする請求項７に記載の車両案内方法。
【発明の詳細な説明】
【技術分野】
【０００１】
本発明は、車載用ナビゲーション装置及び車両案内方法に関し、特に、スマートインターチェンジが併設されたエリア内における適切な案内を行えるように適応された車載用ナビゲーション装置及び車両案内方法に関する。
【背景技術】
【０００２】
従来の典型的な車載用ナビゲーション装置は、ナビゲーションに係る一切の処理を制御するＣＰＵ等の制御装置、地図データを予め記憶させたＤＶＤ(Digital Versatile Disk)−ＲＯＭやＩＣメモリカード等の記憶装置、表示装置、ＧＰＳ(Global Positioning System)受信機、ジャイロや車速センサ等の車両の現在位置及び現在方位を検出する検出装置等を有している。そして、制御装置により、車両の現在位置を含む地図データを記憶装置から読み出し、該地図データに基づいて車両位置の周囲の地図画像を表示装置の画面に表示すると共に、自車の現在位置を指示する車両位置マークを地図画像に重ね合わせて表示し、車両の移動に応じて地図画像をスクロール表示したり、地図画像を画面に固定し車両位置マークを移動させたりして、車両が現在どこを走行しているのかを一目で判るようにしている。
【０００３】
また、車載用ナビゲーション装置には、通常、ユーザが目的地に向けて道路を間違うことなく容易に走行できるように案内する機能（経路案内機能）が搭載されている。この経路案内機能によれば、ＣＰＵにより、地図データを用いて出発地（典型的には自車の現在位置）から目的地までを結ぶ最適な経路を、横型探索法やダイクストラ法等のシミュレーション計算を行って探索し、その探索した経路を誘導経路として記憶しておき、走行中、地図画像上にその誘導経路を他の道路とは識別可能に（例えば、色を変えたり、線幅を太くして）表示したり、また、自車が案内経路上で進路を変更すべき交差点まで所定距離に近づいたときに地図画像上にその交差点の案内図（交差点拡大図、該交差点での進行方向を示す矢印、該交差点までの距離、交差点名など）を表示したりすることで、いずれの道路を走行すればよいか、また、交差点でどの方向に進んだらよいかをユーザが把握できるようになっている。
【０００４】
経路探索時には、予めユーザが目的地を設定し、必要に応じて目的地に至る途中の経由地を設定する。また、必要であれば、各種の条件（有料道路優先で行くのか又は一般道路優先で行くのか等）も併せて設定する。ナビゲーション装置では、これらの設定されたデータに基づいて、目的地までの複数の経路の探索を行い、探索された経路を例えば色分けして表示し、その中からユーザが選択した１つの経路に従って経路案内を行う。
【０００５】
このようなナビゲーション装置において、案内地点における進行方向や目的地までの経路の視認性を向上させるための方法が種々検討されている。例えば、特許文献１には、車両位置に応じた目的地又は経由地の方向を示す方向指示マーカを、地図中の車両位置付近に表示するナビゲーション装置が記載されている。
【０００６】
また、特許文献２には、車両が最適経路から外れ、最適経路が表示されていないときに、最適経路の存在する方向や目的地の方向を報知し、最適経路が表示されているときに、最適経路の進行方向を報知するナビゲーション装置が記載されている。
【先行技術文献】
【特許文献】
【０００７】
【特許文献１】特開２００１−１５９５３６号公報
【特許文献２】特開２００２−０９０１６４号公報
【発明の概要】
【発明が解決しようとする課題】
【０００８】
近年、高速自動車道路の料金所を簡易にし、ＥＴＣを搭載した車両が利用できる出入り口であるスマートインターチェンジ（スマートＩＣ）が普及しはじめてきている。このスマートＩＣは高速道路の本線やサービスエリア（ＳＡ）、パーキングエリア（ＰＡ）、バスストップに設置されている。
【０００９】
例えば、目的地までの誘導経路がＳＡ又はＰＡに併設されたスマートＩＣを通る場合、車両が案内に従って、誘導経路上を走行していれば特に問題なくスマートＩＣを利用することが可能である。
【００１０】
しかし、通常は、ＳＡ又はＰＡでは休憩をとるために車両を駐車又は停車させる。その場合、高速道路の本線からＳＡ又はＰＡに進入する道路を通りスマートＩＣを通過する経路から外れて、ＳＡ又はＰＡの駐車場に移動することになる。ＳＡ又はＰＡの駐車場は、地図データとしての経路情報は存在していないため、経路から外れて駐車場に移動するとオフルート状態になり経路案内ができないことになる。
【００１１】
このような状況で車両を駐車場に駐車させた後、エンジンを再始動すると、経路案内がされず、スマートＩＣがどこにあるかを把握していないユーザは誤って高速道路の本線に向かってしまうことが起こり得る。その場合、途中で誤りに気づき慌てて進行方向を変えるなど安全走行に支障をきたすおそれがある。
【００１２】
本発明は、かかる従来技術の課題に鑑みなされたものであり、スマートＩＣが併設されたエリアにおいて経路から外れた場合でもスマートＩＣの位置を容易に把握可能とする機能を備えた車載用ナビゲーション装置及び車両案内方法を提供することを目的とする。
【課題を解決するための手段】
【００１３】
上述した従来技術の課題を解決するため、本発明の基本形態によれば、表示手段と、地図情報が格納された地図データ記憶手段と、自車両の現在位置を検出する自車位置検出手段と、前記自車両の状態変化を検出する制御手段と、を有し、前記制御手段は、前記自車両の状態が変化したときの自車位置を前記自車位置検出手段により検出し、前記地図情報を参照して当該自車位置がサービスエリア又はパーキングエリア内にあると判定したとき、当該自車位置を基点として前記サービスエリア又はパーキングエリアに併設されているスマートインターチェンジの位置を示すマークを前記表示手段の画面に表示することを特徴とする車載用ナビゲーション装置が提供される。
【００１４】
この形態に係る車載用ナビゲーション装置において、前記制御手段は、前記スマートインターチェンジを通る誘導経路が存在するとき、前記自車位置を基点として前記誘導経路の位置を示すマークを表示するようにしてもよく、前記制御手段は、前記スマートインターチェンジを通る誘導経路が存在しないとき、前記自車位置を基点として前記サービスエリア又はパーキングエリアから高速道路の本線へ向かう出口の位置を示すマークを表示するようにしてもよく、前記制御手段は、前記マークを所定の時間表示した後、前記スマートインターチェンジ及び前記自車位置が識別可能に表示されるように表示縮尺を調整した前記サービスエリア又はパーキングエリアの地図データを生成し、前記表示手段の画面に表示するようにしてもよい。
【００１５】
また、本発明の他の形態によれば、車載用ナビゲーション装置で実施される車両案内方法が提供される。その一形態に係る車両案内方法は、表示手段と、地図情報が格納された地図データ記憶手段と、自車両の現在位置を検出する自車位置検出手段とを備えた車載用ナビゲーション装置における車両案内方法であって、自車両の状態の変化を検出するステップと、前記自車両の状態が変化したときの自車両の自車位置を前記自車位置検出手段により検出するステップと、前記地図情報を参照して前記自車位置がサービスエリア又はパーキングエリア内にあると判定したとき、当該自車位置を基点として前記サービスエリア又はパーキングエリアに併設されているスマートインターチェンジの位置を示すマークを前記表示手段の画面に表示するステップと、を有する。
【００１６】
また、この形態に係る車両案内方法において、前記マークを表示するステップの後に、前記スマートインターチェンジ及び前記自車位置が識別可能に表示されるように表示縮尺を調整した前記サービスエリア又はパーキングエリアの地図データを生成するステップと、当該地図データを前記表示手段の画面に表示するステップと、を有するようにしてもよく、さらに、前記スマートインターチェンジを通る誘導経路が存在するか否かを判定するステップと、前記スマートインターチェンジを通る誘導経路が存在すると判定したとき、前記自車位置を基点として前記誘導経路の位置を示すマークを表示するステップと、前記スマートインターチェンジを通る誘導経路が存在しないと判定したとき、前記自車位置を基点として前記サービスエリア又はパーキングエリアから高速道路の本線へ向かう出口の位置を示すマークを表示するステップと、を有するようにしてもよい。
【発明の効果】
【００１７】
本発明の車載用ナビゲーション装置及び車両案内方法によれば、スマートインターチェンジ（ＩＣ）が併設されたサービスエリア（ＳＡ）又はパーキングエリア（ＰＡ）内に進入して経路から外れて駐停車した後、再始動する際に、自車位置を基点としてスマートＩＣの位置を示すマークを表示するようにしている。これにより、スマートＩＣまでの誘導経路が探索できない場合であってもその方向が示されるため、間違った道路（例えば本線に向かう道路）を通ることを回避することができる。
【図面の簡単な説明】
【００１８】
【図１】本発明の一実施形態に係る車載用ナビゲーション装置の構成を示すブロック図である。
【図２】サービスエリア又はパーキングエリアの一例を示す模式図である。
【図３】サービスエリア又はパーキングエリア内の車両の走行例を示す模式図である。
【図４】スマートＩＣが併設されたサービスエリア又はパーキングエリア内に駐車した後、エンジンを再始動したときの案内例を示す模式図である。
【図５】スマートＩＣ併設エリアにおける案内処理の一例を示すフローチャート（その１）である。
【図６】スマートＩＣ併設エリアにおける案内処理の一例を示すフローチャート（その２）である。
【発明を実施するための形態】
【００１９】
以下、本発明の実施形態について、添付の図面を参照して説明する。
【００２０】
（車載用ナビゲーション装置の構成）
図１は本発明の実施形態に係る車載用ナビゲーション装置１００の構成を示すブロック図である。
【００２１】
図中、１はＤＶＤ−ＲＯＭドライブであり、１ａは地図データその他の案内データが記憶されている記憶媒体である。本実施形態では、このようなデータを記憶する記憶媒体としてＤＶＤ−ＲＯＭ１ａを使用しているが、ハードディスク又はその他の記憶媒体を使用してもよい。ここに格納されている地図は、１／１２５００、１／２５０００、１／５００００、１／１０００００等の各縮尺レベルに応じて適当な大きさの経度幅及び緯度幅に区切られており、この地図に含まれる道路、建築物、施設その他の各種物件は、経度及び緯度で表現された点（ノード）の座標集合として記憶されている。地図データは、（１）道路リスト、ノードテーブル、交差点構成ノードリスト等からなる道路レイヤ、（２）地図画像上に道路、建築物、公園、河川等を表示するための背景レイヤ、（３）市町村名などの行政区画名、道路名、交差点名などを指示する文字や地図記号等を表示するための文字・記号レイヤなどから構成されている。
【００２２】
また、ＤＶＤ‐ＲＯＭ１ａには、マップマッチングで使用される道路の形状を表現した道路データが記憶されている。この道路データは道路の形状に応じてノード間の距離が異なるシェープノードとシェープノード間のリンクで構成されている。
【００２３】
また、２はナビゲーション装置本体１０を操作するための操作ボタン等が設けられた操作部である。本実施形態では、操作部２にリモコン送信機が含まれており、ユーザは手元のリモコン送信機でナビゲーション装置本体１０を操作することもできる。
【００２４】
また、３は複数のＧＰＳ衛星から送られてくるＧＰＳ信号を受信して車両の現在位置の経度、緯度、ＰＤＯＰ(Position DOP)値及びＨＤＯＰ(Horizontal DOP)値等のＧＰＳデータを生成して出力するＧＰＳ受信機を示す。４は自立航法センサを示す。この自立航法センサ４は、車両回転角度を検出するジャイロ等の角度センサと、一定の走行距離毎にパルスを発生する走行距離センサとにより構成されている。
【００２５】
また、５は各種のサービスセンタと通信するための車載電話機等の通信機、６は電波ビーコン又は光ビーコンから送られてくるＶＩＣＳ（登録商標）（道路交通情報通信システム）情報を受信するＶＩＣＳ受信機を示す。これらのビーコンは路側に設置され、警察署、道路管理者及び統合センターに接続され、周辺の渋滞情報等を提供する。
【００２６】
また、７は液晶パネル等の表示部であり、ナビゲーション装置本体１０は、この表示部７に車両の現在位置の周囲の地図を表示したり、出発地から目的地までの誘導経路や車両マーク及びその他の案内情報を表示する。表示部７はその画面上にタッチパネルが設けられ、表示画面の表示内容と対になった各種のボタンが構成される。また、タッチパネルはこれら各種のボタンで示されるメニュー等を選択するための入力装置となる。８は音声によりユーザに案内情報を提供するためのスピーカーである。
【００２７】
ナビゲーション装置本体１０は以下のものから構成されている。１１はＤＶＤ−ＲＯＭドライブ１を介してＤＶＤ−ＲＯＭ１ａから読み出された地図データを一時的に格納するバッファメモリを示す。
【００２８】
１２はマイクロコンピュータにより構成される制御部を示す。制御部１２は、ナビゲーション用のプログラムを内蔵しており、このプログラムに従い、ＧＰＳ受信機３から出力される信号や、自立航法センサ４から出力される信号に基づいて自車の現在位置を算出したり、表示させたい地図のデータをＤＶＤ−ＲＯＭドライブ１を介してＤＶＤ−ＲＯＭ１ａからバッファメモリ１１に読み出したり、バッファメモリ１１に読み出された地図データを用いて設定された探索条件で出発地から目的地までの誘導径路を探索するなど、種々の処理を実行する。また、後述するように、車両を駐車させた後、エンジンを再始動したときの自車位置を検出し、自車両がスマートＩＣの併設されたサービスエリア又はパーキングエリア（ＳＡ／ＰＡ）にあるとき、自車位置を基点としてスマートＩＣの位置を示す簡易方向指示マークを表示したり、駐車時に自車位置とスマートＩＣの位置を検出してそれらの位置情報を記憶部１７に保存する処理を行う。
【００２９】
１３はバッファメモリ１１に読み出された地図データを用いて地図画像を生成する地図描画部、１４は動作状況に応じた各種メニュー画面（操作画面）や車両位置マーク及びカーソル等の各種マークを生成する操作画面・マーク発生部である。
【００３０】
１５は制御部１２で探索した誘導経路を記憶する誘導経路記憶部、１６は誘導経路を描画する誘導経路描画部を示す。誘導経路記憶部１５には、制御部１２によって探索された誘導経路の全ノードが出発地から目的地まで記憶される。誘導経路描画部１６は、地図を表示する際に、誘導経路記憶部１５から誘導経路情報を読み出して、誘導経路を他の道路とは異なる色及び線幅で描画する。
【００３１】
１７はハードディスク等で構成される記憶部を示し、スマートＩＣが併設されたＳＡ／ＰＡの駐車場に車両が駐車したときの車両及びスマートＩＣの位置や、方向指示マークの表示データが格納されている。
【００３２】
１８は音声出力部を示し、制御部１２からの信号に基づいて音声信号をスピーカー８に供給する。１９は画像合成部を示し、地図描画部１３で描画された地図画像に、操作画面・マーク発生部１４で生成した各種マークや操作画面、誘導経路描画部２２で描画した誘導経路などを重ね合わせて表示部７に表示させる。
【００３３】
このように構成された車載用ナビゲーション装置１００において、制御部１２は、車両がスマートＩＣの併設されているＳＡ又はＰＡに駐停車したことを検出した後、再び車両が走行を開始する際に、その車両位置を基点としてスマートＩＣの位置を容易に把握できるように表示や音声により案内を行う。
【００３４】
図２（ａ）は、一般的なＳＡ／ＰＡを模式的に示した図であり、図２（ｂ）は、スマートＩＣが併設されたＳＡ／ＰＡを模式的に示した図である。
【００３５】
図２（ａ）、（ｂ）に示すように、ＳＡ／ＰＡ内には高速道路本線２１から分かれた分岐経路２２と、ＳＡ／ＰＡの売店等の施設２４、及び駐車スペース２３が存在している。分岐経路２２は高速道路本線２１から分岐してＳＡ／ＰＡ領域内を通り、再び高速道路本線２１に合流している。図２（ｂ）に示すように、スマートＩＣ２６はＳＡ／ＰＡに併設され、ＳＡ／ＰＡ内の分岐経路２２から分岐した出口経路２５上に設置されている。また、スマートＩＣは１か所だけではなく、複数設置されるようにしてもよい。
【００３６】
図３は、図２（ａ）又は（ｂ）に示したようなＳＡ／ＰＡをユーザが利用する場合の車両の走行例を示した図である。車両は自車位置マークＣＭで示すように、高速道路本線２１からＳＡ／ＰＡを利用するため、分岐経路２２に入り、さらに駐車スペース２３に移動させる。そのため、分岐経路２２に対応する道路リンクから外れ、ナビゲーション装置が走行案内をすることのできないオフルート状態となる。オフルート状態で休憩等のために車両のエンジンを停止後、再びエンジンを始動すると、自車位置からスマートＩＣまでの経路案内がされないため、ユーザはどの方向に車両を進めればよいか判断が困難になる。
【００３７】
図３（ｂ）は、スマートＩＣ２６が併設されたＳＡ／ＰＡの駐車場２３に車両を駐車させた後の移動例を示した図である。図３（ｂ）に示すように、エンジン再始動後、スマートＩＣ２６の位置を十分に把握していなければ、スマートＩＣ２６を通る誘導経路４１上を走行せずに、誤って高速道路の本線２１へ向かう経路を走行してしまうことがある。
【００３８】
そこで、スマートＩＣ２６が併設されたＳＡ／ＰＡの駐車場２３に駐停車した後、エンジンを再始動するときに、自車位置ＣＭを基点としてスマートＩＣ２６の位置が容易に分かるようにしている。
【００３９】
図４（ａ）は、スマートＩＣ２６が併設されたＳＡ／ＰＡの駐車場２３に車両を駐車させた後に、自車位置ＣＭを基点としてスマートＩＣ２６の位置を音声により案内する例を示している。図４（ａ）では、自車が駐車した状態（車両前方を図４（ａ）の上側に向けて駐車）において、スマートＩＣ２６の位置を地図データから検出して、「スマートＩＣ料金所が、右前方にあります。経路上を走行すると、案内を開始します。」というメッセージを音声出力している。なお、誘導経路４１が設定されていない場合には、エンジン始動の際に、「スマートＩＣ料金所が、右前方にあります。」というメッセージを音声出力するようにしてもよい。
【００４０】
また、図４（ｂ）では、自車位置ＣＭとスマートＩＣ２６との位置関係を矢印（方向指示マーク）４２で表示している。この場合、自車位置ＣＭを中心に右斜め前方にスマートＩＣ２６を表示し、その間に方向指示マーク４２を表示して方向を示している。このような簡易方向指示マークは、自車がＳＡ／ＰＡの駐車場２３に駐車した際に作成し、記憶部１７にそのデータを格納しておき、エンジンが再始動したときに、記憶部１７からデータを抽出して表示するようにしてもよい。
【００４１】
さらに、図４（ｂ）のような簡易方向指示マークを表示出力した後、図４（ｃ）に示すような自車位置ＣＭとスマートＩＣ２６の両方が把握容易な大きさで表示されるＳＡ／ＰＡの地図を表示する。このＳＡ／ＰＡ地図は、自車位置ＣＭとスマートＩＣ２６の位置を検出して、それらが含まれる範囲をバッファメモリ１１に読み出した地図データから抽出し、さらに、地図の縮尺を自車位置ＣＭとスマートＩＣ２６の位置とが把握できる値に調整される。
【００４２】
なお、自車位置ＣＭ及びスマートＩＣ２６の位置は、車両が駐車場２３に駐車したときに取得して、エンジン再始動のときにそれらの情報を用いて地図を作成するようにしてもよい。また、駐車場２３に駐車した時点で地図を作成し、その地図データを記憶部１７に格納し、エンジン再始動のときに地図データを記憶部１７から抽出して表示するようにしてもよい。この場合には、例えば画面を２画面表示にし、一方の画面に簡易方向指示マークを表示し、他方の画面に縮尺を調整したＳＡ／ＰＡ地図を表示するようにしてもよい。      
【００４３】
このようにオフルート状態でエンジンを再始動したときに、自車位置とスマートＩＣ料金所との位置関係を音声又は表示により容易に把握できるようにしている。これにより、オフルート状態で経路案内がされない場合であっても、車両を誤った方向へ移動させてしまうことを回避することが可能となり、無駄な時間やコストをかけることを防止することが可能となる。
【００４４】
また、通常、ナビゲーション装置を起動して所要の地図情報が画面に表示されるまでには、２０〜３０秒程度の一定の時間がかかってしまうが、上記したような簡易方向表示を起動後数秒で表示することにより、誤った方向に車両を移動させることを防止することが可能になる。
【００４５】
以下に、車載用ナビゲーション装置におけるＳＡ／ＰＡ内での車両案内方法について説明する。
【００４６】
図５は、ＳＡ／ＰＡ内におけるスマートＩＣの位置を案内する車両案内処理の一例を示すフローチャートである。なお、本実施形態では、地図データには、ＳＡ／ＰＡの位置情報とともに、ＳＡ／ＰＡ内に含まれる施設やＳＡ／ＰＡに併設されているスマートＩＣの施設情報（位置情報を含む）も格納されているものとする。
【００４７】
まず、図５のステップＳ１１において、車両状態に変化があったか否かを判定する。変化があるまで待機し、変化があったときはステップＳ１２に移行する。車両状態に変化があったか否かは、エンジンが停止している状態からエンジンが始動したか否かによって判定する。また、ナビゲーション装置が動作を開始した状態、車速信号の変化がない状態から変化がある状態、自車位置の変化がない状態から変化がある状態、ＡＣＣがオフからオンになった状態を検出することによって車両状態の変化があったとするようにしてもよい。これらのいずれかの状態変化によって車両状態に変化があったものとみなしている。
【００４８】
次のステップＳ１２において、自車位置を検出する。ＧＰＳ受信機３を介して自車位置の経度及び緯度を取得する。
【００４９】
次のステップＳ１３において、自車位置がＳＡ／ＰＡ内にあるか否かを判定する。ステップＳ１２において取得した自車位置に対応する地図情報を、バッファメモリ１１に読み出した地図データを用いて検索し、自車位置がＳＡ／ＰＡの領域に含まれているか否かによって判定する。自車位置がＳＡ／ＰＡ内にあればステップＳ１４に移行し、なければ本処理は終了する。
【００５０】
次のステップＳ１４において、自車両が駐車しているＳＡ／ＰＡに併設されたスマートＩＣが存在するか否かを判定する。ステップＳ１３において検索されたＳＡ／ＰＡに付随する施設情報にスマートＩＣがあるか否かを検出することによって判定する。スマートＩＣが存在する場合には、ステップＳ１５に移行し、スマートＩＣが存在しない場合には、本処理は終了する。
【００５１】
次のステップＳ１５において、自車位置を基点にスマートＩＣの位置を示すマークを表示する。ステップＳ１２において取得した自車位置と、スマートＩＣの位置情報を基に、その２地点を結ぶ直線の水平軸に対する傾き角から方向を求める。さらに、自車両の向きを考慮して、車両のフロント側が画面表示の際に上になるようにして自車位置を基点としたスマートＩＣへの方向を調整する。記憶部１７に格納してある方向を示す方向指示マークを調整された方向に回転させたデータを生成して、自車位置マーク、スマートＩＣを示すマークとともに図４（ｂ）に示すような簡易方向指示マークの表示データを生成して表示する。なお、この表示とともに、図４（ａ）に示すように、音声による案内をするようにしてもよい。
【００５２】
次のステップＳ１６において、自車位置及びスマートＩＣが表示される最適な縮尺のＳＡ／ＰＡの地図を表示する。ステップＳ１２において取得した自車位置とスマートＩＣの両方が含まれるＳＡ／ＰＡのデータを地図データベースから抽出し、自車位置とスマートＩＣが識別可能な程度に縮尺を調整した地図データを生成して画面に表示する。
【００５３】
なお、ステップＳ１２，ステップＳ１４において、自車位置、スマートＩＣの位置を検出していたが、これらの位置を車両が駐車したときに記憶部１７に格納し、エンジンを再始動したときに記憶部１７から抽出するようにしてもよい。
【００５４】
また、ステップＳ１５で簡易方向指示マークを生成し、ステップＳ１６で縮尺を調整したＳＡ／ＰＡの地図データを生成しているが、車両が駐車したときにこれらの簡易方向指示マーク、ＳＡ／ＰＡの地図データを生成して記憶部１７に格納しておき、エンジンが再始動されたときに記憶部１７からこれらのデータを抽出して表示するようにしてもよい。
【００５５】
また、ステップＳ１５においてスマートＩＣの位置を示す簡易方向指示マークを表示した後、ステップＳ１６においてＳＡ／ＰＡの地図表示をしているが、これらの表示を同時に表示するようにしてもよい。例えば、表示画面を２画面表示にして、一方にスマートＩＣの位置を示す簡易方向指示マークを表示し、他方に縮尺を調整して自車位置とスマートＩＣの両方が含まれる地図を表示するようにしてもよい。
【００５６】
また、ステップＳ１４においてスマートＩＣが存在しない場合には案内処理を終了していたが、その場合に「スマートＩＣは併設されていません。」等の音声案内をするようにしてもよい。このとき、高速道路本線の方向を示す簡易方向指示マークや高速道路本線へ向かうＳＡ／ＰＡの出口と自車位置とを含む適切な縮尺の地図を表示するようにしてもよい。
【００５７】
次に、図６を参照しながら、スマートＩＣを通る誘導経路の有無に応じた案内処理について説明する。
【００５８】
図６のステップＳ２１において、車両状態に変化があったか否かを判定する。変化があるまで待機し、変化があったと判定されたときはステップＳ２２に移行して自車位置の検出を行う。車両状態の変化については、図５のステップＳ１１に記載したものと同様である。
【００５９】
次のステップＳ２３において、自車位置がＳＡ／ＰＡ内にあるか否かを判定する。自車位置がＳＡ／ＰＡ内にあると判定されたときはステップＳ２４に移行し、ＳＡ／ＰＡ内にないと判定されたときは、本処理は終了する。
【００６０】
次のステップＳ２４において、自車両が駐車しているＳＡ／ＰＡに併設してスマートＩＣが存在するか否かを判定し、さらに、スマートＩＣを通る誘導経路が設定されているか否かを判定する。このような誘導経路が設定されているときは、ステップＳ２５に移行し、設定されていないときは、ステップＳ２７に移行する。スマートＩＣを通る誘導経路が設定されているか否かは、誘導経路記憶部１５に該当する経路が格納されているか否かによって判定する。
【００６１】
次のステップＳ２５において、自車位置を基点に誘導経路の位置を示す簡易方向指示マークを表示する。例えば、自車両から誘導経路までの距離を算出し、最短距離の方向を示す簡易方向指示マークを表示する。誘導経路を逸脱した地点からスマートＩＣまでの誘導経路を所定の距離毎に区切り、各地点と自車位置との距離を算出し、最短距離の２地点を結ぶ直線を求める。その直線の傾きを基に自車位置を基点として誘導経路の方向を求める。さらに、自車両の向きを考慮して、車両のフロント側が画面表示の際に上になるようにして自車位置を基点とした誘導経路への方向を調整する。そして、記憶部１７に格納してある方向を示す方向指示マークを調整された方向に回転させたデータを生成して、自車位置マーク、誘導経路を示すマークとともに簡易方向指示マークの表示データを生成して表示する。
【００６２】
なお、自車位置から誘導経路の方向を示す表示とともに、スマートＩＣの位置を示す簡易方向指示マークを識別可能にして同時に表示するようにしてもよい。
【００６３】
次のステップＳ２６において、自車位置及びスマートＩＣが表示される最適な縮尺のＳＡ／ＰＡの地図を表示する。この処理は、図５のステップＳ１６と同様である。
【００６４】
一方、スマートＩＣを通る誘導経路が存在しない場合に移行するステップＳ２７において、自車位置を基点にＳＡ／ＰＡの高速道路本線へ向かう出口の位置を示す簡易方向指示マークを表示する。
【００６５】
ステップＳ２２において取得した自車位置と、高速道路本線へ向かうＳＡ／ＰＡの出口の位置情報を基に、その２地点を結ぶ直線の水平軸に対する傾き角から方向を求める。さらに、自車両の向きを考慮して、車両のフロント側が画面表示の際に上になるようにして自車位置を基点とした出口への方向を調整する。記憶部１７に格納してある方向を示す方向指示マークを調整された方向に回転させたデータを生成して、自車位置マーク、ＳＡ／ＰＡの出口を示すマークとともに簡易方向指示マークの表示データを生成して表示する。
【００６６】
次のステップＳ２８において、自車位置及びＳＡ／ＰＡの出口が表示される最適な縮尺のＳＡ／ＰＡの地図を表示する。
【００６７】
以上、図５、図６を参照して説明したように、スマートＩＣが併設されたＳＡ／ＰＡに進入後、駐車場に車両を移動させてオフロード状態になった後、エンジンを再始動したとき、スマートＩＣの料金所の方向を示すマークを表示するようにしている。また、スマートＩＣを通る誘導経路が設定されている場合は、車両を駐車させた後エンジンを再始動したときに自車位置を基点として誘導経路の方向を示す表示をするようにしている。これにより、オフロード状態であっても自車両を移動させる方向を容易に把握することが可能になり、誤って高速道路本線へ向かう経路を走行することを防止することができる。
【００６８】
また、方向を示す簡易方向指示マークの表示の後、自車位置及びスマートＩＣの位置を含んだ適切な縮尺のＳＡ／ＰＡの地図を表示するようにしている。これにより、自車両が移動する方向を誤ることを防止することが可能となる。
【符号の説明】
【００６９】
１００…車載用ナビゲーション装置、
１ａ…ＤＶＤ−ＲＯＭ（地図データ記憶手段）、
２…操作部、
３…ＧＰＳ受信機（自車位置検出手段）、
４…自立航法センサ、
７…表示部（表示手段）、
１０…ナビゲーション装置本体、
１１…バッファメモリ（地図データ記憶手段）、
１２…制御部（制御手段）、
１６…誘導経路描画部、
１７…記憶部（記憶手段）、
２６…スマートＩＣ、
４２…方向指示マーク、
ＣＭ…自車位置マーク。
【図１】
2010190822.tif 000003
【図２】
2010190822.tif 000004
【図３】
2010190822.tif 000005
【図４】
2010190822.tif 000006
【図５】
2010190822.tif 000007
【図６】
2010190822.tif 000008